(57)【要約】【課題】例えば従来の炊飯器と同じ５合炊きであっても炊飯器本体のサイズを小さく見せることのできる炊飯器を提供する。【解決手段】背面カバー４の上面は蓋体３の上面よりも低く、背面カバー４の幅は炊飯器本体１の幅よりも狭く形成され、また、炊飯器本体１の蓋体３の上面を前方から所定角度で見たときに、背面カバー４の上面が蓋体３の上面後端部によって見えない奥行き寸法で形成されている。【選択図】図１
2010110408.tif 000002
【特許請求の範囲】
【請求項１】
上部に開閉自在な蓋体を有する炊飯器本体と、
前記炊飯器本体の背面に蓋体に跨って設けられた背面カバーとを備え、
前記背面カバーの上面が前記蓋体の上面よりも低く形成されていることを特徴とする炊飯器。
【請求項２】
前記炊飯器本体の蓋体の上面を前方から所定角度で見たときに、前記背面カバーの上面が前記蓋体の上面後端部によって見えない奥行き寸法で形成されていることを特徴とする請求項１記載の炊飯器。
【請求項３】
前記背面カバーの上面が前記蓋体の上面よりも２５ｍｍ以上低く形成されていることを特徴とする請求項１又は２記載の炊飯器。
【請求項４】
前記背面カバーの幅は、前記炊飯器本体の幅よりも狭く形成されていることを特徴とする請求項１乃至３の何れかに記載の炊飯器。
【請求項５】
前記炊飯器本体の側面を所定角度から見たときに、前記背面カバーの側面が前記炊飯器本体の側面後端部によって見えない奥行き寸法で形成されていることを特徴とする請求項１乃至４の何れかに記載の炊飯器。
【請求項６】
前記背面カバーの幅は、前記炊飯器本体の幅方向の両側面からそれぞれ３０ｍｍ以上狭く形成されていることを特徴とする請求項１乃至５の何れかに記載の炊飯器。
【請求項７】
前記背面カバーは、暗色になっていることを特徴とする請求項１乃至６の何れかに記載の炊飯器。
【発明の詳細な説明】
【技術分野】
【０００１】
本発明は、炊飯器本体の背面に、制御基板などを覆って保護する背面カバーを備えた炊飯器に関するものである。
【背景技術】
【０００２】
従来、炊飯器本体内の前部側に、バックアップ電池やコンデンサなどが実装された電源基板、誘導加熱に必要なパワートランジスタや各種電子回路素子が実装された制御基板が配置されている（例えば、特許文献１参照）。
【０００３】
【特許文献１】特開２００３−１５９１７６号公報(第４頁、図１）
【発明の開示】
【発明が解決しようとする課題】
【０００４】
前述した従来の炊飯器では、電源基板、制御基板を設置するための空間が必要となるため、炊飯器本体そのもののサイズが大きくなってしまい、使用者に圧迫感を与えることがあった。
本発明は、前記のような課題を解決するためになされたもので、例えば従来の炊飯器と同じ５合炊きであっても炊飯器本体のサイズを小さく見せることのできる炊飯器を提供することを目的とする。
【課題を解決するための手段】
【０００５】
本発明に係る炊飯器は、上部に開閉自在な蓋体を有する炊飯器本体と、炊飯器本体の背面に蓋体開閉可能に設けられた背面カバーとを備え、背面カバーの上面が蓋体の上面よりも低く形成されている。
【発明の効果】
【０００６】
本発明においては、炊飯器本体の背面に設けられた背面カバーの上面が蓋体の上面よりも低く形成されているので、使用者が炊飯器本体を前面から見たときに背面カバーが炊飯器本体に隠れて見えなくなり、炊飯器本体のサイズを小さく見せることができる。このため、炊飯器本体のサイズを大きく見せることなくワンサイズ大きい炊飯器を提供でき、多くの機能部品を搭載することが可能になる。
【発明を実施するための最良の形態】
【０００７】
実施の形態１．
図１は本発明の実施の形態１に係る炊飯器を後方から見て示す外観斜視図、図２は実施の形態１を説明するための側面図である。
図１において、炊飯器本体１の背面に蓋体３に跨る背面カバー４が設けられている。炊飯器本体１の筐体２には、内釜、この内釜に隣接するように設置された蒸気復水用の水タンク、内釜を誘導加熱する電磁誘導コイル、冷却ファン、コードリールなどが設けられている。炊飯器本体１の蓋体３の上面には、炊飯に必要な各種スイッチ、表示窓などが配置されてなる操作／表示部３ａが設けられている。また、蓋体３の内側には、操作／表示部３ａの回路基板、内釜を密閉状態にする内蓋などが設けられている。
【０００８】
前述の背面カバー４は、黒色や灰色などの暗色になっており、蓋体３と筐体２の各背面に跨って設けられている。背面カバー４の上部側は、ヒンジ部を覆っており、背面カバー４の下部側は、筐体２内の後部に配置された制御基板などを覆っており、背面カバー４の上部側は、下部側に対しヒンジ部の軸を中心に回動可能になっている。背面カバー４の上面は蓋体３の上面よりも低く、背面カバー４の幅は炊飯器本体１（蓋体３および筐体２）の幅よりも狭く形成されている。また、炊飯器本体１の蓋体３の上面を前方から所定角度で見たときに、背面カバー４の上面が蓋体３の上面後端部によって見えない奥行き寸法で形成されている。
【０００９】
例えば、図２に示すように、高さ２２０〜２５０ｍｍの炊飯器本体１の背面に設けられた背面カバー４の上面を蓋体３の上面より２５ｍｍ低くし、さらに、背面カバー４の上面の奥行き寸法を３０ｍｍとする炊飯器を、平均的な高さ８６０〜９２０ｍｍ(幅６００〜８００ｍｍ）の調理台１１に載せて、日本人の平均的な目の高さ１５００〜１６００ｍｍの人間が調理台１１より１００〜３００ｍｍ離れた位置(目の位置)から調理台１１に対し３０度〜４０度の角度で蓋体３の上面を見た場合、蓋体３の上面後端部(角部)によって背面カバー４の上面が隠れて見えなくなる。また、炊飯器本体１を側方から見た場合、背面カバー４が見えることがあるが、背面カバー４は暗色であるため目立たない。
【００１０】
このように、炊飯器本体１を所定の位置から所定角度で見た場合に、背面カバー４が炊飯器本体１に隠れて見えなくなり、側方から背面カバー４が見えたとしても暗色で目立たないので、炊飯器本体１のサイズを小さく見せることができ、このため、炊飯器本体１のサイズを大きく見せることなくワンサイズ大きい炊飯器を提供でき、多くの機能部品例えば炊飯時に発生する内釜内の蒸気を取り込んで復水する水タンクなどを搭載することが可能になる。
また、炊飯器本体１の筐体２内の後部に配置された制御基板などを背面カバー４で覆うようにしているので、炊飯器本体１のサイズも小さくすることも可能になり、炊飯器の包装容積の縮減化を図ることができる。
【００１１】
実施の形態２．
実施の形態１では、炊飯器本体１を前方から所定角度で見た場合に、背面カバー４が炊飯器本体１に隠れて見えなくなることについて述べたが、本実施の形態は、炊飯器本体１を側方から見ても背面カバー４が隠れて見えないようにしたものである。
図３は実施の形態３を説明するための平面図である。
【００１２】
図中に示す炊飯器本体１は、幅が２４０〜３００ｍｍ、奥行きが２８０〜３５０ｍｍで、高さが実施の形態１と同様に２２０〜２５０ｍｍからなっている。背面カバー４の幅は、炊飯器本体１の幅方向の両側面からそれぞれ３０〜５０ｍｍ狭く形成されている。また、背面カバー４の上面の奥行き寸法は実施の形態１と同様に３０ｍｍとなっている。このサイズの炊飯器本体１を前記と同じ目の高さを有する人間が側面に対し３０度〜４０度の角度で見た場合、炊飯器本体１の側面後端部によって背面カバー４の側面が隠れて見えなくなる。
【００１３】
このような外形寸法を有する炊飯器を店頭の棚に他の家電製品、例えば電子レンジ１２と所定間隔（例えば１００ｍｍ）離して並べた場合、炊飯器本体１の背面に設けられた背面カバー４は電子レンジ１２により隠れて見えなくなる。また、他の家電製品との間隔が１００ｍｍ以上離れていた場合であっても、３０度〜４０度の角度で見た場合に、背面カバー４の側面が炊飯器本体１の側面後端部によって隠れる位置に配置すれば背面カバー４が見えなくなる。また、炊飯器本体１を側方から見た場合に、背面カバー４が見えたとしても背面カバー４が暗色であるため目立たない。なお、炊飯器本体１を前方から所定角度（３０度〜４０度）で見た場合も、蓋体３の上面後端部(角部)によって背面カバー４の上面が隠れて見えなくなっている。
【００１４】
以上のように実施の形態２においては、背面カバー４の幅を炊飯器本体１の両側面からそれぞれ３０〜５０ｍｍ狭く形成したので、炊飯器本体１を側面に対し３０度〜４０度の角度で見た場合、炊飯器本体１の側面後端部によって背面カバー４の側面が隠れて見えなくなり、このため、炊飯器本体１のサイズを小さく見せることができる。特に、店頭などで複数の家電製品と並べた場合に、隣り合う家電製品との間隔が１００ｍｍ以内で隣接して並べられることが多く、この場合、炊飯器本体１の背面に設けられた背面カバー４を隠すことができるので、炊飯器本体１のサイズを小さく見せることができ、このため、炊飯器本体１のサイズを大きく見せることなくワンサイズ大きい炊飯器を提供でき、多くの機能部品を搭載することが可能になる。
【図面の簡単な説明】
【００１５】
【図１】本発明の実施の形態１に係る炊飯器を後方から見て示す外観斜視図である。
【図２】実施の形態１を説明するための側面図である。
【図３】実施の形態２を説明するための平面図である。
【符号の説明】
【００１６】
１  炊飯器本体、２  筐体、３  蓋体、３ａ  操作／表示部、４  背面カバー、１１  調理台、１２  電子レンジ。
【図１】
2010110408.tif 000003
【図２】
2010110408.tif 000004
【図３】
2010110408.tif 000005